(57)【特許請求の範囲】
【請求項１】
顧客により操作される決済端末の一側に商品籠載置台を固定し他側に秤皿と商品を一時的に載置する一時置き台とを備えた秤装置を配設したセルフチェックアウト端末において、前記決済端末の底面に前記秤装置側に突出する連結バーを固定し、この連結バーに前記秤装置が載置される底板を固定したことを特徴とするセルフチェックアウト端末。
【請求項２】
前記底板の両側に前記連結バーを結合固定する結合部を形成し、一方の前記結合部には前記決済端末から突出する前記連結バーを固定すると共に、他方の前記結合部に他の連結バーを結合して他の底板を連接するようにしたことを特徴とする請求項１記載のセルフチェックアウト端末。
【発明の詳細な説明】
【技術分野】
【０００１】
本発明は、顧客によるセルフチェックアウトを可能にするセルフチェックアウト端末に関する。
【背景技術】
【０００２】
近年、商品販売データ処理を実行するための各種ユーザインターフェースを顧客による操作と顧客への情報提供と顧客へのレシート発行とが可能な位置に配置し、顧客によるセルフチェックアウトを可能にしたセルフチェックアウト端末の開発が進められている（特許文献１）。各種ユーザインターフェースとしては、例えばバーコードリーダ等のような商品コード読取部、情報を表示する表示部、情報を入力する入力部、例えば硬貨及び紙幣の入出金装置のような決済を可能とする決済部、及びレシートプリンタ等が用意される。また、このように構成された決済端末の一側には、商品籠載置台を配設し、他側に秤皿と商品を一時的に載置する一時置き台とを備えた秤装置を配設しているのが通例である。そして、秤装置には、顧客の使用上の便宜を図るために、例えば、特許文献２及び特許文献３に示されるように、レジ袋を保持する保持アームによる袋保持部を形成している。
【０００３】
このような従来のセルフチェックアウト端末の一例を図５乃至図７に基づいて説明する。まず、図５において、セルフチェックアウト端末１は、決済端末２と袋掛け台３及び秤装置４とから構成されている。前記決済端末２は、顧客が購入しようとする商品を入れた籠（図示せず）を載置するための商品籠載置台５が左脇から突出したハウジング６を有している。前記決済端末２の前記ハウジング６には、各種ユーザインターフェースが設けられている。つまり、左側に商品コード読取部としてのバーコードスキャナ７が配置され、右側にプリンタカバー８及び監視カメラ９が配置され、これらのバーコードスキャナ７とプリンタカバー８及び監視カメラ９の間には決済部としてのカード読取部１０及びテンキー１１が配置されている。バーコードスキャナ７は、商品に付された商品コードを読み取る商品コード読取部として機能する縦型スキャナである。プリンタカバー８には、レシート発行口１２が設けられている。前記プリンタカバー８の奥側にはレシートプリンタ（図示せず）が内蔵され、このレシートプリンタによって印字される図示しないレシートは、前記レシート発行口１２から発行されるように構成されている。前記監視カメラ９は、プリンタカバー８の上方に配置されている。前記カード読取部１０は、図示しない非接触ＩＣカードと無線通信を確立し、非接触ＩＣカードに対して情報を読み書きする。非接触ＩＣカードは、一例として現金と等価な価値を有する電子マネーを記憶保存することが可能であり、別の一例として、引き落し銀行口座を特定するための識別番号を記憶保存し、決済に際して利用される。前記テンキー１１は、非接触ＩＣカードでの決済に際して、暗証番号の入力のために用いられる。
【０００４】
前記ハウジング６には、液晶表示パネルを有する表示部としてのＬＣＤ１３が取り付けられている。このＬＣＤ１３は、その表示面に入力部としてのタッチパネル１４を有する。また、前記ハウジング６には、硬貨投入口１５が配置され、その左側には硬貨払出口１６が配置されている。また、ベースハウジングの前面右上方位置には、紙幣投入口１７と紙幣払出口１８とが配置されている。さらに、前記ハウジング６の背面からは、セルフチェックアウト端末１の現在の状態を表示する表示ポール１９が立設されている。この表示ポール１９は、先端部に青色と赤色とに選択的に発光する発光部２０を有する。
【０００５】
図６は、袋掛け台３として機能する秤装置４を示す斜視図である。秤装置４は、秤ハウジング２１の上部に秤皿２２が設けられ、この秤皿２２に袋保持具２３が取り付けられて構成されている。秤装置４は、その上面に載置台２５を有する。袋保持具２３は載置台２５に取り付けられている。したがって、袋保持具２３からすると、秤皿２２は台座を構成する。つまり、載置台２５の後方中央部にはポール形状のアーム支持部２６が立設され、このアーム支持部２６の上端には品物を載置するための一時置き台２７が固定されている。一時置き台２７は、上面が平坦面となっており、決済端末２のバーコードスキャナ７でバーコードを読み取った後の商品を一時的に置く用途で用いられる台である。
【０００６】
このような一時置き台２７の下面には、一対の保持アーム２８とフック２９とが取り付けられている。つまり、一時置き台２７の下面両端位置には、アーム取付具３０が固定されている。これらの固定は、例えばネジ止め、接着止め等、各種の固定手法によってなされている。そして、それらのアーム取付具３０のそれぞれには、保持アーム２８が埋設されている。また、一時置き台２７の下面中央位置には、フック取付具３１が固定されている。この固定は、例えばネジ止め、接着止め等、各種の固定手法によってなされている。そして、フック取付具３１には、フック２９が埋設されている。
【０００７】
図７は、保持アーム２８に収納袋としてのレジ袋３２が保持されている状態を示す斜視図である。保持アーム２８は、例えばスーパーマーケット等で顧客に提供するビニール袋等のレジ袋３２、つまり、開口部３３とこの開口部３３から突出する一対の把手３４とを有してこれらの把手３４が両側に位置付けられるように折り畳まれたレジ袋３２を保持するために、一対の把手３４を串刺し状態で保持する。また、レジ袋３２には、一対の把手３４の間に位置させてミシン目３５で脱落可能な一対の耳部３６が形成されている。フック２９は、引掛け穴３７を挿通し、これによってレジ袋３２を保持アーム２８と共に保持する。
【０００８】
このように構成されたセルフチェックアウト端末１は、顧客自身により操作される。すなわち、顧客は購入しようとする商品が入った買い物籠３８を商品籠載置台５の上に置き、商品を一つずつ取り出して登録する。この商品の登録は、バーコードが付された商品を持ってそのバーコードをバーコードスキャナ７で読取るか、商品のバーコードを図示しないハンドスキャナで読取るか、或いは、バーコードのない商品であれば、ＬＣＤ１３に表示された画面上で選択して入力することにより実行される。そして、登録が終わった商品は、レジ袋３２に順次投入され、秤装置４でその総重量が測定されている。これにより、個々の商品についてはメモリに予めその重量が入力されているため、登録した商品の総重量は個々の商品の重量を加算することにより求められ、実際に測り装置４で測定した総重量と対比することにより不正があったか否かのチェックがなされる。その後、硬貨投入口１５、硬貨払出口１６、紙幣投入口１７、紙幣払出口１８を用いて現金による支払いがなされ、また、クレジットカードの場合には図示しないカードリーダを用いて支払いがなされる。このような操作を行っている際に、操作方法が不明であったり、登録を途中で取りやめたいときには、キーボードに設けられた「店員呼出」のボタンを押す。これにより、セルフチェックアウト端末１の操作上で予想していなかった事柄についても的確な対応ができるものである。
【０００９】
【特許文献１】特開２００４−０８６７２８公報
【特許文献２】特許明細書第２５５２９９６号
【特許文献３】特開平６-２７０９２５号公報
【発明の開示】
【発明が解決しようとする課題】
【００１０】
一般に、セルフチェックアウト端末１においては、決済端末２と袋掛け台３及び秤装置４とから構成されているモノであるが、このような決済端末２と袋掛け台３及び秤装置４は、それぞれ独立した機器として構成されており、必要に応じて直線状に配列したり、或いは、使用する顧客の位置を中心として円弧状に配列したりしている。そして、決済端末２は、顧客が購入しようとする商品を入れた買い物籠を載置するための商品籠載置台５が左脇から突出したハウジング６を有しているものであるが、商品載置台５はハウジング６の一方に突出して形成されているものであり、重量が大きい買い物籠を載せた場合には、決済端末２が傾いてしまうという不安定さを有している。この買い物籠の重さは、８０ｋｇにも及ぶ場合がある。一方、決済端末２には、袋掛け台３及び秤装置４が順次連接されてセルフチェックアウト端末１が構成されているものであるが、それぞれは互いに独立して形成されているため、使用中に位置ずれを起こす可能性があり、定置性に乏しいという問題がある。
【課題を解決するための手段】
【００１１】
顧客により操作される決済端末の一側に商品籠載置台を固定し他側に秤皿と商品を一時的に載置する一時置き台とを備えた秤装置を配設したセルフチェックアウト端末において、前記決済端末の底面に前記秤装置側に突出する連結バーを固定し、この連結バーに前記秤装置が載置される底板を固定したセルフチェックアウト端末である。
【発明の効果】
【００１２】
決済端末の側方には、連結バーを介して連結された底板が固定され、この底板に秤装置が載置されるため、決済端末の一側に設けられた商品籠載置台に重量の大きな買い物籠が載置されて荷重が掛けられても他方には秤装置が固定されているため、決済端末の左右では重量配分が偏ることがなく決済装置の安定性を確保することができ、また、決済端末と秤装置とは連結バー及び底板により互いに固定的に連結されているため、使用中に互いの相対位置が変化してしまうこともないものである。
【発明を実施するための最良の形態】
【００１３】
本発明の実施の態様を図１乃至図４に基づいて説明する。まず、図１において、セルフチェックアウト端末４１は、決済端末４２と袋掛け台４３及び秤装置４４とから構成されている。前記決済端末４２は、顧客が購入しようとする商品を入れた籠（図示せず）を載置するための商品籠載置台４５が左脇から突出したハウジング４６を有している。前記決済端末４２の前記ハウジング４６には、各種ユーザインターフェースが設けられている。つまり、左側に商品コード読取部としてのバーコードスキャナ４７が配置され、右側にプリンタカバー４８及び監視カメラ４９が配置され、これらのバーコードスキャナ４７とプリンタカバー４８及び監視カメラ４９の間には決済部としてのカード読取部５０及びテンキー５１が配置されている。バーコードスキャナ４７は、商品に付された商品コードを読み取る商品コード読取部として機能する縦型スキャナである。プリンタカバー４８には、レシート発行口５２が設けられている。前記プリンタカバー４８の奥側にはレシートプリンタ（図示せず）が内蔵され、このレシートプリンタによって印字される図示しないレシートは、前記レシート発行口５２から発行されるように構成されている。前記監視カメラ４９は、プリンタカバー４８の上方に配置されている。前記カード読取部５０は、図示しない非接触ＩＣカードと無線通信を確立し、非接触ＩＣカードに対して情報を読み書きする。非接触ＩＣカードは、一例として現金と等価な価値を有する電子マネーを記憶保存することが可能であり、別の一例として、引き落し銀行口座を特定するための識別番号を記憶保存し、決済に際して利用される。前記テンキー５１は、非接触ＩＣカードでの決済に際して、暗証番号の入力のために用いられる。
【００１４】
前記ハウジング４６には、液晶表示パネルを有する表示部としてのＬＣＤ５３が取り付けられている。このＬＣＤ５３は、その表示面に入力部としてのタッチパネル５４を有する。また、前記ハウジング４６には、硬貨投入口５５が配置され、その左側には硬貨払出口５６が配置されている。また、ベースハウジングの前面右上方位置には、紙幣投入口５７と紙幣払出口５８とが配置されている。さらに、前記ハウジング４６の背面からは、セルフチェックアウト端末４１の現在の状態を表示する表示ポール５９が立設されている。この表示ポール５９は、先端部に青色と赤色とに選択的に発光する発光部６０を有する。
【００１５】
しかして、前記袋掛け台４３及び前記秤装置４４の基本構造は同一である。すなわち、秤ハウジング６１の上部に秤皿６２が設けられ、この秤皿６２の後部にはポール形状のアーム支持部６３が立設され、このアーム支持部６３の上部には、商品を一時的に載置する一時置き台６４が固定されている。この一時置き台６４の基板６５には、図２に示すように、複数個の取付孔６６が形成されており、これらの取付孔６６にネジ又はボルトによる結合具６７を挿通させて保持アーム６８が取り付けられる。そして、前記基板６５の上面に前記結合具６７の頭部を隠す平坦な天板６９を固定する。このようにして保持アーム６８を取り付けたのが袋掛け台４３であり、保持アーム６８を取り付けていないのが秤装置４４である。
【００１６】
このようにして形成された袋掛け台４３と秤装置４４とは、それらのハウジングが手前側の幅寸法が小さく、奥側の幅寸法が大きい扇形に形成されており、決済端末４２と並べて配列した状態においては、決済端末４２の正面に立つ顧客を中心とした円弧状に位置するように配慮されているものである。
【００１７】
ついで、図３に示すように、決済端末４２のハウジング４６の底面には、チャンネル状に形成された連結バー７０（図４参照）が固定されている。すなわち、連結バー７０の略半分は前記決済端末４２のハウジング４６の底面に位置し、略半分は側方に突出している。この連結バー７０の突出部には、底板７１が固定されている。すなわち、前記底板７１には、前記連結バー７０が挿入される切欠き７２と、前記連結バー７０に接合してネジ等により固定される固定片７３とが形成されている。このような切欠き７２と固定片７３とは、前記底板７１の両側に形成されている。このように決済端末４２に固定された底板７１には、保持アーム６８が取り付けられて袋掛け台４３とされた秤装置４４が載置されている。この秤装置４４は、前記底板７１の外周部分に立ち上げ形成された縁部７４に嵌り込んで位置ずれが生じないように載置されているものである。
【００１８】
また、袋掛け台４３とされた秤装置４４の底面にも、前記決済端末４２の底面と同様に連結バー７０を固定することができ、固定された連結バー７０にさらに他の底板７１を固定し、この底板７１に他の秤装置４４が載置固定される。このようにして、決済端末４２、袋掛け台４３、秤装置４４が順次固定的に配列される。
【００１９】
したがって、使用時において、顧客が決済端末４２の商品籠載置台４５に８０ｋｇもの重量の大きい買い物籠を載せることにより、決済端末４２に偏荷重が掛けられたとしても、他方には袋掛け台４３とされた秤装置４４の荷重が作用しているため、決済端末４２が傾くことはなく安定している。また、互いに連接された決済端末４２、袋掛け台４３、秤装置４４は、連結バー７０及び底板７１により互いに固定的に結合されているため、それぞれの設置位置は狂うことがなく、長期間にわたって位置ずれのない状態を維持することができる。
【図面の簡単な説明】
【００２０】
【図１】本発明の実施の態様を示す斜視図である。
【図２】一時置き台部分の分解斜視図である。
【図３】一部の分解斜視図である。
【図４】連結バーの斜視図である。
【図５】従来のセルフチェックアウト端末の一例を示す斜視図である。
【図６】その袋掛け装置の斜視図である。
【図７】レジ袋を掛けた状態の斜視図である。
【符号の説明】
【００２１】
４１    セルフチェックアウト端末、４２    決済端末、４４    秤装置、４５    商品籠載置台、６２    秤皿、６４    一時置き台、７０    連結バー、７１    底板
【図１】
0004795052.tif 000002
【図２】
0004795052.tif 000003
【図３】
0004795052.tif 000004
【図４】
0004795052.tif 000005
【図５】
0004795052.tif 000006
【図６】
0004795052.tif 000007
【図７】
0004795052.tif 000008